(57)【要約】【課題】  集合住宅の各戸の玄関先の独立性を確保する。２戸の住戸の玄関先に必要な照明器具、インターホン、ネームプレートをコンパクトにまとめて設置できる。特別な設置スペースを必要としない。【解決手段】  玄関ポーチ１に面して隣接する２戸の住戸２の各玄関ドア３を備えた集合住宅において玄関ポーチ１のフロア４に立設されて玄関ポーチ１を各住戸２の玄関ドア３が面する二つの分割玄関ポーチ１ａに二分割するための玄関隔壁設備パネル５である。玄関隔壁設備パネル５に玄関ポーチ１のフロア４に下端部を埋設して玄関隔壁設備パネル５を立設するための支柱６を設ける。玄関隔壁設備パネル５の両面にそれぞれ住戸２別の照明器具７と、住戸２別のインターホン８と、住戸２別のネームプレート９とを設ける。支柱６を照明器具７、インターホン８に接続する配線１０を通すように筒状とする。【選択図】図１
2007217921.tif 000002
【特許請求の範囲】
【請求項１】
共通の玄関ポーチに面して隣接する２戸の住戸の各玄関ドアを備えた集合住宅において玄関ポーチのフロアに立設されて玄関ポーチを各住戸の玄関ドアが面する二つの分割玄関ポーチに二分割するための玄関隔壁設備パネルであって、該玄関隔壁設備パネルに玄関ポーチのフロアに下端部を埋設して玄関隔壁設備パネルを立設するための支柱を設けると共に、玄関隔壁設備パネルの両面にそれぞれ住戸別の照明器具と、住戸別のインターホンと、住戸別のネームプレートを設け、上記支柱を照明器具、インターホンに接続する配線を通すことができるように筒状として成ることを特徴とする玄関隔壁設備パネルの構造。
【請求項２】
支柱を少なくとも二つ以上設け、片面側に設けた照明器具、インターホンにそれぞれ接続する配線を一つの支柱内に挿通し、他の片面側に設けた照明器具、インターホンにぞれぞれ接続する配線を別の支柱内に挿通することを特徴とする請求項１記載の玄関隔壁設備パネルの構造。
【発明の詳細な説明】
【技術分野】
【０００１】
本発明は、集合住宅において玄関ポーチのフロアに立設されて玄関ポーチを各住戸の玄関ドアが面する二つの分割玄関ポーチに二分割するための玄関隔壁設備パネルに関するものである。
【背景技術】
【０００２】
従来から玄関ポーチのフロアや玄関へのアプローチ部分の地面に立設する玄関設備ポールが例えば特許文献１により知られている。
【０００３】
従来の玄関設備ポールは、戸建ての住宅の玄関ポーチのフロアや玄関アプローチの地面に立設され一戸建て専用のもので、この一戸建て専用の玄関設備ポールには照明器具、インターホン、ネームプレート等が設けられる。
【０００４】
ところが、共通の玄関ポーチに面して隣接する２戸の住戸の各玄関ドアを備えた集合住宅の共通の玄関ポーチに、上記一戸建て専用の玄関設備ポールを２つ立設すると、２つの玄関設備ポールを個々に立設するために施工に時間がかかり、また、２つ立設するため共通の玄関ポーチの有効横巾が狭くなってしまうという問題がある。
【０００５】
そこで、一つの玄関設備ポールの前面に２組の照明器具、インターホン、ネームプレートを設け、この２組の照明器具、インターホン、ネームプレートを設けた玄関設備ポールを共通の玄関ポーチのフロアに立設することが考えられるが、この場合、２つのインターホン、ネームプレートが二戸の住戸のどちらに対応するのかが来客者に分かり難く、また、玄関設備ポールから２組の照明器具、インターホンの各配線が導出されて、各組の配線をそれぞれ対応する住戸内に引き込んで配線する必要があるが、玄関設備ポールから導出する上記配線を誤って対象となる方と違う方の住戸内に引き込んで配線してしまうおそれがあり、これを防止するには配線作業が面倒となる。
【０００６】
また、集合住宅において各戸の玄関先における独立性を強調するため、共通の玄関ポーチを隔壁パネルで各住戸の玄関ドアが面する二つの分割玄関ポーチに二分割することが行なわれているが、このように二つに分割された分割玄関ポーチのフロアにそれぞれ各戸に対応して上記一戸建て専用の玄関設備ポールをそれぞれ独立して立設すると分割玄関ポーチが狭くなってしまうという問題がある。
【特許文献１】特開平１１−２０６５３４号公報
【発明の開示】
【発明が解決しようとする課題】
【０００７】
本発明は上記の従来の問題点に鑑みて発明したものであって、集合住宅において各住戸の玄関先における独立性を確保すると共に各住戸の玄関先に必要な設備である照明器具、インターホン、ネームプレートをコンパクトにまとめ、しかも、これらの玄関先に必要な設備を設置する特別な設置スペースをとらず、分割玄関スペースを広く使用でき、また、各住戸から導入した配線と各住戸に対応した照明器具、インターホンとの接続に当たって誤りなく接続することができる玄関隔壁設備パネルの構造を提供することを課題とするものである。
【課題を解決するための手段】
【０００８】
上記課題を解決するために本発明に係る玄関隔壁設備パネルの構造は、共通の玄関ポーチ１に面して隣接する２戸の住戸２の各玄関ドア３を備えた集合住宅において玄関ポーチ１のフロア４に立設されて玄関ポーチ１を各住戸２の玄関ドア３が面する二つの分割玄関ポーチ１ａに二分割するための玄関隔壁設備パネル５であって、該玄関隔壁設備パネル５に玄関ポーチ１のフロア４に下端部を埋設して玄関隔壁設備パネル５を立設するための支柱６を設けると共に、玄関隔壁設備パネル５の両面にそれぞれ住戸２別の照明器具７と、住戸２別のインターホン８と、住戸２別のネームプレート９とを設け、上記支柱６を照明器具７、インターホン８に接続する配線１０を通すことができるように筒状として成ることを特徴とするものである。
【０００９】
本発明の玄関隔壁設備パネル５は、共通の玄関ポーチ１に面して隣接する２戸の住戸２の各玄関ドア３を備えた集合住宅において玄関ポーチ１のフロア４に立設されて玄関ポーチ１を各住戸２の玄関ドア３が面する二つの分割玄関ポーチ１ａに二分割するためのものであるから、集合住宅において各住戸２の玄関先における独立性を確保することができるものであり、しかも、このように各住戸２の玄関先における独立性を確保するために設ける玄関隔壁設備パネル５の両面にそれぞれ住戸２別の照明器具７と、住戸２別のインターホン８と、住戸２別のネームプレート９とを設けるので、玄関隔壁設備パネル５により二つに分けた分割玄関ポーチ１ａにそれぞれ面して住戸２別の照明器具７、住戸２別のインターホン８、住戸２別のネームプレート９を設けることができて、照明器具７、インターホン８、ネームプレート９と対応する住戸２との関連が来訪者に分かり易く、誤って隣家のインターホン８を操作したりするというようなことがなく、また、玄関ポーチ１を二分割するための隔壁パネルと設備パネルとを兼用しているので、玄関設備ポールを２つ別々に玄関先に独立して立設したり、あるいは前面に２戸分の設備を設けた専用の１つの玄関設備ポールを玄関先に立設したりするの比べて、専用の設備ポールを必要とせず、これを設置するための特別な設置スペースが必要でなく、部材点数を削減できる。また、支柱６を照明器具７、インターホン８に接続する配線１０を通すことができるように筒状にしているので、配線１０が外部に露出しないようにできて外観が良くなる。
【００１０】
また、支柱６を少なくとも二つ以上設け、片面側に設けた照明器具７、インターホン８にそれぞれ接続する配線１０を一つの支柱６内に通挿通し、他の片面側に設けた照明器具７、インターホン８にぞれぞれ接続する配線１０を別の支柱６内に挿通することが好ましい。
【００１１】
このような構成とすることで、各住戸２から導入した配線１０と各住戸２に対応した照明器具７、インターホン８との接続に当たって誤りなく接続することができて、電気工事が容易に行なえる。
【発明の効果】
【００１２】
本発明は、集合住宅において各住戸の玄関先における独立性を確保することができるものであり、しかも、照明器具、インターホン、ネームプレートとこれに対応する住戸との関連が来訪者に分かり易く、誤って隣家のインターホンを操作したりするというようなことがないように各住戸に対応した玄関先の設備をコンパクトにまとめて設けることができ、また、玄関ポーチを二分割するための隔壁パネルと設備パネルとを兼用しているので、専用の設備ポールを必要とせず、専用の設備ポールを設置するための特別な設置スペースが必要でなく、部材点数を削減できると共に分割玄関スペースを広く使用でき、また、配線が外部に露出することがなくて外観が良くなる。
【発明を実施するための最良の形態】
【００１３】
以下、本発明を添付図面に示す実施形態に基いて説明する。
【００１４】
玄関隔壁設備パネル５は、図２に示すように複数の支柱６間に複数の横枠１１を架設した枠体１２の一部にパネル体１３を取付け、更に、枠体１２の一部に設備プレート１４を取付けるための設備プレート取付け用開口部１５を設けて主体が構成してある。
【００１５】
上記設備プレート取付け用開口部１５は添付図面に示す実施形態では上下方向に２個設けてあり、各設備プレート取付け用開口部１５の内周部には内周枠１６が設けてあり、内周枠１６の両側にそれぞれ設備プレート１４を取付けることで、設備プレート取付け用開口部１５の両側に開口を閉じるようにそれぞれ設備プレート１４が取付けられるようになっている。
【００１６】
支柱６は内部が中空となる筒状をしており、各支柱６内と設備プレート取付け用開口部１５内とがそれぞれ連通するように各支柱６とこれに対面する内周枠１６とに連続する孔１７がそれぞれ設けてある。一方の支柱６内にはこれと対応する孔１７から一住戸２に対応した照明器具７用の配線（電源線）１０、インターホン８用の配線（信号線）１０を挿入して当該支柱６の下端の開口部から導出し、また、他方の支柱６にはこれと対応する別の孔１７から他の住戸２に対応した照明器具７用の配線（電源線）１０、インターホン８用の配線（信号線）１０を挿入して当該他方の支柱６の下端開口部から導出するようになっている。ここで、配線１０を支柱６に直接挿入してもよいが、添付図面に示す実施形態では電線管１８を支柱６内に通し、該電線管１８内に配線１０を通すようにするのが好ましい。
【００１７】
支柱６の下端部には下面に設置プレート１９を有する脚部２０が設けてある。
【００１８】
設備プレート１４には照明器具７、インターホン８、ネームプレート９といった個別の住戸２の玄関先に必要な諸設備が取付けられる。
【００１９】
添付図面に示す実施形態では上に位置する設備プレート取付け用開口部１５の両側に取付ける設備プレート１４にそれぞれ住戸２別の照明器具７を取付け、下に位置する設備プレート１４にそれぞれ住戸２別のインターホン８とネームプレート９とを取付けるようになっている。
【００２０】
したがって、本発明の玄関隔壁設備パネル５の左右両面にはそれぞれ各住戸２別の照明器具７、インターホン８、ネームプレート９がコンパクトにまとめて設けられることになる。
【００２１】
上記のような構成の玄関隔壁設備パネル５は、共通の玄関ポーチ１に面して隣接する２戸の住戸２の各玄関ドア３を備えた集合住宅において図１のように玄関ポーチ１のフロア４に立設されるものであり、玄関ポーチ１に玄関隔壁設備パネル５を立設することで、玄関ポーチ１を各住戸２の玄関ドア３が面する二つの分割玄関ポーチ１ａに二分割するようになっている。
【００２２】
玄関隔壁設備パネル５の立設に当たっては、まず、図２に示すように、集合住宅の隣接する２戸の住戸２の各玄関ドア３間の外壁２２の中間位置に対して直角となるように外壁２２の屋外側に玄関設備パネル５を立設する（つまり、玄関ポーチ１を二分割する位置に立設する）。この場合、地面に形成した基礎２１上に各支柱６の下端部に設けた脚部２０の設置プレート１９を載設固着する。ここで、必要に応じて建物側に位置する支柱６を外壁２２に固着具により固着してもよい。
【００２３】
次に、一方の支柱６に一方の住戸２に対応した照明器具７、インターホン８に接続するための配線１０を挿通するための電線管１８を通すと共に該電線管１８の一端部にプルボックス２３を接続する。該プルボックス２３は集合住宅の外壁２２の一方の住戸２の外面側に配設する。また、他方の支柱６に他方の住戸２に対応した照明器具７、インターホン８に接続するための配線１０を挿通するための電線管１８を通すと共に該電線管１８の一端部にプルボックス２３を接続する。該プルボックス２３は集合住宅の外壁２２の他方の住戸２の外面側に配設する。
【００２４】
また、図３に示すように、土間コンクリートを打設し、必要に応じて上面にタイル貼り等をして玄関ポーチ１のフロア４を形成する。この場合、上記基礎２１、支柱６の下端部、電線管１８の支柱６の下端から各住戸２までの間の部分が形成されるフロア４に埋設される。上記プルボックス２３の取付けは土間コンクリートの打設前、打設後のいずれであってもよい。
【００２５】
このようにして玄関ポーチ１のフロア４に玄関隔壁設備パネル５を立設することで、玄関ポーチ１を２つの分割玄関ポーチ１ａに二分割する。２つの分割玄関ポーチ１ａのうち、一方の分割玄関ポーチ１ａには隣接する２つの住戸２のうち一方の住戸２の玄関ドア３が面し、他方の分割玄関ポーチ１ａには隣接する２つの住戸２のうち他方の住戸２の玄関ドア３が面する。
【００２６】
次に、一方の支柱６内に挿通し且つ一端部に一方の住戸２側のプルボックス２３を接続した電線管１８内に、一方の住戸２側から玄関隔壁設備パネル５の設備プレート取付け用開口部１５内に電源線や情報線等の配線１０を通す。この場合、該配線１０は更に一方の住戸２のプルボックス２３を経て一方の住戸２内に引き込まれる。
【００２７】
また、他方の支柱６内に挿通し且つ一端部に他方の住戸２側のプルボックス２３を接続した電線管１８内に他方の住戸２内から玄関隔壁設備パネル５の設備プレート取付け用開口部１５内に電源線や情報線等の配線１０を通す。この場合、該配線１０は更に他方の住戸２のプルボックス２３を経て他方の住戸２内に引き込まれる。
【００２８】
次に、玄関隔壁設備パネル５の設備プレート取付け用開口部１５の左右方向の両側にそれぞれ取付ける設備プレート１４のうち、一方の住戸２に対応した分割玄関ポーチ１ａに面する側に取付けられる設備プレート１４に、一方の住戸２用の照明器具７、インターホン８、ネームプレート９を取付けると共に、一方の住戸２から設備プレート取付け用開口部１５内に導入した配線１０を接続し（この場合設備プレート１４に通線用の孔を設けて配線１０はこの孔を通して照明器具７やインターホン８に接続する）、その後、当該一方の設備プレート１４を一方の住戸２に対応した分割玄関ポーチ１ａに面する側に取付ける。また、他方の住戸２に対応した分割玄関ポーチ１ａに面する側に取付けられる設備プレート１４に、他方の住戸２用の照明器具７、インターホン８、ネームプレート９を取付けると共に、他方の住戸２から設備プレート取付け用開口部１５内に導入した配線１０を接続し、当該他方の設備プレート１４を他方の住戸２に対応した分割玄関ポーチ１ａに面する側に取付ける。
【００２９】
ここで、添付図面に示す実施形態では、図４、図５に示すように照明器具７、インターホン８は先に設備プレート１４にベース部材７ａ、８ａを取付け、ベース部材７ａ、８ａにそれぞれ照明器具７、インターホン８を取付けるようになっている。
【００３０】
また、各住戸２に引き込んだ配線１０はそれぞれ、各住戸２内の電気設備に接続する。
【００３１】
このように、本発明では一方の支柱６内に左右両側のうち一方の片面側に設ける照明器具７、インターホン８にそれぞれ接続する配線１０を一つの支柱６内に挿通し、他の支柱６内に他の片面側に設ける照明器具７、インターホン８にぞれぞれ接続する配線１０を挿通してあるので、一方の住戸２から導入した配線１０と、一方の住戸２に対応して設ける照明器具７、インターホン８とを間違うことなく接続し、他方の住戸２から導入した配線１０と、他方の住戸２に対応して設ける照明器具７、インターホン８とを間違うことなく接続することができ、電気工事が容易に行なえることになる。
【００３２】
また、玄関隔壁設備パネル５で玄関ポーチ１を各住戸２の玄関ドア３が面する二つの分割玄関ポーチ１ａに二分割することで、図１に示すように集合住宅において各住戸２の玄関先における独立性を確保することができることになる。
【００３３】
また、本発明の玄関隔壁設備パネル５は、上記のように隣接する住戸２の玄関先における独立性を確保するための隔壁パネルの機能を備えるだけでなく、両面にそれぞれ住戸２別の照明器具７と、住戸２別のインターホン８と、住戸２別のネームプレート９とを設け構造となっているので、隣接する住戸２の玄関先の設備をコンパクトに一まとめにした設備パネルとしての機能を備えており、このように隔壁パネルと設備パネルとを兼用しているので、従来のように、玄関設備ポールを２つ別々に玄関先に立設したり、あるいは前面に２戸分の設備を設けた専用の１つの玄関設備ポールを玄関先に独立して立設したりするの比べて、専用の設備ポールを必要とせず、これを設置するための特別な設置スペースが必要でなく、部材点数を削減できるのである。
【００３４】
また、玄関隔壁設備パネル５に２つの住戸２に対応した二組の玄関先の設備を設けるに当たり、玄関隔壁設備パネル５で二つに分ける分割玄関ポーチ１ａにそれぞれ面して住戸２別の照明器具７、住戸２別のインターホン８、住戸２別のネームプレート９を設けることができて、照明器具７、インターホン８、ネームプレート９と対応する住戸２との関連が来訪者に分かり易く、誤って隣家のインターホン８を操作したりするというようなことがなくなり、使用勝手が良くなるものである。
【図面の簡単な説明】
【００３５】
【図１】本発明の玄関隔壁設備パネルの設置状態を示す正面図である。
【図２】同上の土間コンクリートを打設する前の玄関隔壁設備パネルの立設状態を示す分解斜視図である。
【図３】同上の土間コンクリートを打設した後の玄関隔壁設備パネルの立設状態を示す分解斜視図である。
【図４】同上の設備プレートにベース部材を取付ける前の分解斜視図である。
【図５】同上の設備プレートにベース部材を取付けた状態の一部分解斜視図である。
【符号の説明】
【００３６】
１  玄関ポーチ
１ａ  分割玄関ポーチ
２  住戸
３  玄関ドア
４  フロア
５  玄関隔壁設備パネル
６  支柱
７  照明器具
８  インターホン
９  ネームプレート
１０  配線
【図１】
2007217921.tif 000003
【図２】
2007217921.tif 000004
【図３】
2007217921.tif 000005
【図４】
2007217921.tif 000006
【図５】
2007217921.tif 000007